【事件の表示】
　平成１１年特許願第７４５４９号「ディスク再生装置」拒絶査定不服審判事件〔平成１２年９月２９日出願公開、特開２０００−２６８４９０〕について、次のとおり審決する。
【結　論】
　本件審判の請求は、成り立たない。
【理　由】
１．手続きの経緯
　本願は、平成１１年３月１８日の出願であって、その請求項１に係る発明（以下、「本願発明」という。）は、平成１６年１月８日付けの手続補正書によって補正された明細書の記載からみて、特許請求の範囲の請求項１に記載されたとおり次のものと認める。
　
「デジタルデータが記録されたディスク上を径方向に移動しつつデータをショックプルーフメモリへ読み出すピックアップに対して線速度一定となるように前記ディスクを回転させ、前記ショックプルーフメモリがデータで満たされたことにより前記ピックアップによるデータの読み出しが休止される間は前記ディスクの回転を停止すべくなしてあるディスク再生装置において、
　前記ショックプルーフメモリがデータで満たされたことにより前記ピックアップによる前記ディスクからのデータの読み出しが休止される場合に、前記ショックプルーフメモリがデータで満たされた時点における前記ディスクの回転速度を記憶する記憶手段と、前記ショックプルーフメモリに蓄積されているデータのデータ量が所定量以下に減少したことにより前記ピックアップによる前記ディスクからのデータの読み出しが再開される場合に、前記記憶手段に記憶されている前記回転速度と同一の回転速度により前記ディスクを予め回転させる回転制御手段とを備えたことを特徴とするディスク再生装置。」
　
２．刊行物
　当審の拒絶理由で引用した特開平７−１５３１８２号公報（以下、「刊行物」という。）には、以下の事項が記載されている。
「【特許請求の範囲】
　【請求項１】　光ディスクにデータを記録もしくは光ディスクよりデータを再生する記録再生手段におけるデータ転送速度ａとデータを処理する処理手段におけるデータ転送速度ｂにおいて、ａ＞ｂなる関係があり、上記記録再生手段、処理手段、記憶手段を制御する制御手段により、データを時間的に連続して処理及び記録もしくは再生を行う装置を構成するに際し、上記処理手段は連続動作であっても、上記記録再生手段は動作を一時的に間欠動作させ、動作停止期間は上記記録再生手段への電圧、電流、制御信号及びシステムクロックの少なくとも１つの供給を停止させる第１の動作状態と停止させない第２の動作状態を持ち、２つの動作状態を上記制御手段が選択できる光ディスク装置であって、
　上記光ディスクを回転させるためのモータと、
　このモータの回転速度を検出する回転速度検出手段と、
　上記記録再生手段の再生もしくは記録している半径位置を実質的に検出する位置検出手段と、
　この位置検出手段の出力と上記回転速度検出手段の出力を受けて上記モータが回転すべき回転数を決定する速度基準検出手段と、
　この速度基準検出手段の出力と上記記録再生手段の出力とを受けて上記モータの回転誤差を検出するモータ制御手段と、
　このモータ制御手段の出力に応じて上記モータの回転数を調整するモータ駆動手段とを備える光ディスク装置。
　【請求項２】　位置検出手段は、光ディスク上に記録された絶対番地情報を基に実質的に演算して求め、第１の動作状態にあるときはこれを実質的に保持することを特徴とする請求項１記載の光ディスク装置。」
「【０００３】　以下に、従来の光ディスク装置について説明する。
　図３はこの従来の光ディスク装置のブロック略図を示すものである。図３において、４１は記録再生手段、４２は記憶手段、４３は処理手段、４４は制御手段、４５は電源部である。
　【０００４】　以上のように構成された光ディスク装置について、以下その動作について説明する。
　【０００５】　記録時においては、記録されるデータは処理手段４３から記憶手段４２へ書き込みがなされる。次に記憶手段４２より読み出されて、記録再生手段４１を介して記録再生媒体に記録される。ここで、記憶手段４２は記録再生手段４１と処理手段４３との間の転送速度が異なり、これを変換する場合、およびデータの並べ替えなどの時間軸補正をする場合、およびデータを一時記憶しておくことにより、記録再生媒体からの再生データが振動等により一時的にデータが欠落した場合の予備として耐震性を向上させる場合に用いるものである。今述べた一連の動作は、制御手段４４の制御のもとに行われ、電源部４５からは本装置の各手段へ電源を供給する。一方、再生時は、上述と逆の動作で、データが記録再生媒体より再生される。
　【０００６】
　【発明が解決しようとする課題】　しかしながら上記の従来の構成では、耐震性には優れているが、振動が発生しない使用状態においても絶えず耐震性確保のための電力を消費しており、特に携帯用機器とする場合、電源部として電池を内蔵させる必要があり、電池の長時間動作を保証できないという問題点を有していた。
　【０００７】　本発明は上記従来の問題点を解決するもので、消費電力の低減とその影響の軽減の両方に対応し、電源を有効利用できる光ディスク装置を提供することを目的とする。」
「【００１０】
　【実施例】　以下、本発明の一実施例について、図面を参照しながら説明する。
　【００１１】　図１は本発明の第１の実施例における光ディスク装置のブロック略図を示すものである。図１において、光ディスク１は録再可能であり、録再ヘッド２によって記録再生される。また、この光ディスク１はモータ２２によって回転されている。
　【００１２】　また、モータ２２の回転数は、常時、周波数発電機１８（以下、ＦＧ１８と略す。）によってモニターされている。上記の録再動作は、ヘッドアンプ３によって直接的には制御される。なお、ＭＤでは磁気ヘッド（図示せず）を有し、記録の際、レーザ光によって光ディスク１の基盤材料のキュリー点まで加熱し、この磁気ヘッドが発生する磁界を被記録信号により変調して記録している。
　【００１３】　一方、ヘッドアンプ３は、録再ヘッド２と光ディスク１との焦点距離の誤差であるフォーカス誤差と、光ディスク１上に記録された情報トラック（図示せず）と録再ヘッド２の照射する光ビームの間の相対位置誤差であるトラッキング誤差を検出し、ヘッド制御回路４に送る。ヘッド制御回路４は、これらの誤差信号を比例・積分・微分演算し、録再ヘッド２に係合したフォーカス・アクチュエータおよびトラッキング・アクチュエータ（いずれも図示せず）に駆動電流を供給する。これによって録再ヘッド２に対する位置帰還ループを構成し、録再ヘッド２と光ディスク１の間の相対位置誤差を０になるように補正する制御を行う。」
「【００１８】　次に、再生動作について概説する。光ディスク１から読み出された信号はヘッドアンプ２を介して変復調器８に送られる。この変復調器８において前述の８−１４変換を復調し、符号復号器９に送る。この符号復号器９においてデインターリーブ、ＡＣＩＲＣ(Advanced　Cross　Interleave　Reed-solomon　Code)デコード等を行い、半導体メモリ１０に入力する。この半導体メモリ１０に蓄えられたデータは、圧縮されているために伸長しなければならない。この伸長のためには多量のデータを必要とし、また光ディスク１からの読み出しの転送レートは、出力の転送レートよりもかなり高い（ＭＤの場合、符号復号器９と半導体メモリ１０間の転送レートは１．４メガビット／秒、半導体メモリ１０と圧縮伸長器１１間の転送レートは０．３メガビット／秒）ので、一旦半導体メモリ１０の容量いっぱいまで記憶しなければならない。その後、半導体メモリ１０が、所定のデータ量まで減るまで上記トラッキング制御ループを待機モードにし、データの読み込みを禁止する。この禁止時の動作については、後に詳解する。圧縮伸長器１１はこの半導体メモリ１０の内容を読み出し、伸長してＤＡ変換器１２に送る。ＤＡ変換器１２はこの数値データを電圧信号に変換して装置の外部へ出力する。　
　【００１９】　なお、本実施例は、その他の構成回路として、システムコントローラ１４、入力部１５、電源部１６、スイッチ１７を含んでいる。
　【００２０】　以上のように構成された本実施例の光ディスク装置について、以下その動作について、特に待機モードを含む間欠動作について詳説する。
　【００２１】　前述のように大容量である半導体メモリ１０を介して転送レートの変換を行うためには、間欠動作が不可欠となる。
　【００２２】　この間欠動作時には電源部１６に直結したスイッチ１７を開き、モータ制御ループや変復調器８、符号復号器９の電源を切ることが、低消費電力化には更に好ましい。しかしながら、
そのまま電源を切っただけでは、モータ制御ループの再引き込みに時間がかかって、好ましくない。特にＭＤにおいては、線速度一定の記録方式が取られているため、より問題が深刻である。その問題解決のためには、本発明では待機モードからの復帰時に上述のモータ制御ループの制御目標を与えてやることが早道である
　【００２３】　いま、トラック・ピッチをｐ、録再線速度をｖl、番地の変化する周波数をｆck、円盤１の最内周の半径をｒOとしたとき、半径ｒと絶対番地Ａの間には、次の関係が成立する。
　【００２４】
　【数１】　ｒ＝ｒ0＋（ｐ・ｖ１・Ａ／π・ｆck）１／２　　
　【００２５】　また、回転角周波数ωと半径ｒには、次の関係が成立する。
　【００２６】
　【数２】ω＝ｖ1／ｒ
　【００２７】　以上の２式より、録再中の絶対番地Ａと録再角周波数ωは、容易に求めることができる。図２にこの関係をＭＤにおける実際の数値を当てはめた例を示す。
　【００２８】　これら２式は代数的に解くことも可能であるが、マイクロプロセッサなどで実現するためには、予め図２に示した答を、ＲＯＭテーブル上に用意して置いて、
検索することがよく行われる。
　【００２９】　すなわち、
ＡＤＩＰ信号から検出された録再ヘッド２の位置を示す番地は番地記憶回路６においてスイッチ１７を切る指令信号Ｓｃをトリガとして電源を切られた瞬間の番地を記憶する（これには例えばスタティックＲＡＭなどを用いてやれば良い）。これによって検出した録再ヘッドの記録／再生番地すなわち記録／再生位置は、記録／再生半径に対応しており、上述のようにＲＯＭテーブル引きなどにより容易にモータ２２の回転速度と関連づけられる。すなわち、番地速度基準変換ＲＯＭ７において、再起動時に電源オンとともに、モータ制御ループの制御目標を出力する。この番地速度基準変換ＲＯＭ７の出力に応じて、ＦＧ１８を用いた速度制御を行い、予め起動速度の近傍で光ディスク１を回転させてやる。これにより、予め電源切断時の速度で光ディスク１を回転できるため、速やかな再起動が可能となる。
　【００３０】　以上のように本実施例によれば、光ディスク１の再生半径を検出するために番地記憶回路６を設け、
番地速度基準変換ＲＯＭ７により予めモータ２２を所望の速度で回転させてやることにより、待機状態からの再起動を高速化することができる。
　
　以上の記載及び図面を参酌すると、刊行物には、
「線速度一定の記録方式がとられているＭＤよりデータを再生する再生手段におけるデータ転送速度ａとデータを処理する処理手段におけるデータ転送速度ｂにおいて、ａ＞ｂなる関係があり、上記再生手段、処理手段、半導体メモリを制御する制御手段により、データを時間的に連続して処理及び再生を行う装置を構成するに際し、
　上記半導体メモリ容量がデータでいっぱいになり、その後所定のデータ量まで減じるまで、電源部に直結したスィッチを開き、モータ制御ループや変復調器、符号復号器の電源を切るＭＤ装置において、
　番地記憶回路と、番地速度基準変換ＲＯＭを有し、
　上記半導体メモリがデータでいっぱいになり、上記スィッチが開いて、モータ制御ループや変復調器、符号復号器の電源が切られ、データの読み込みが禁止された場合に、スィッチが開いた瞬間の番地を上記番地記憶回路で記憶し、
　半導体メモリのデータ量が所定量以下に減少し、上記スィッチが閉じて、モータ制御ループや変復調器、符号復号器の電源が再起動され、データの読み込みが再開される場合に、上記番地記憶回路に記憶された番地から上記番地速度基準変換ＲＯＭのＲＯＭテーブル上絶対番地から録再角周波数を検索してモータ制御ループの制御目標を出力し、周波数発電器を用いた速度制御を行い、予め起動速度の近傍でＭＤを回転させ、予めモータ制御ループの電源切断時の速度でＭＤが回転させる回転制御手段を備えたＭＤ装置。」の発明（以下、「刊行物の発明」という。）が記載されているとみとめられる。　
３．対比・判断
　本願発明と刊行物の発明とを比較すると、
　刊行物の発明の「線速度一定の記録方式のＭＤ」「半導体メモリ」は、本願発明の「デジタルデータが記録されたディスク」「ショックプルーフメモリ」に相当し、
　刊行物の発明の「線速度一定の記録方式のＭＤ」は、ピックアップがデータが読み出しているとき、線速度一定で回転しているから、刊行物の発明の「線速度一定の記録方式がとられているＭＤよりデータを再生する再生手段」は、「デジタルデータが記録されたディスク上を径方向に移動しつつデータをショックプルーフメモリへ読み出すピックアップに対して線速度一定となるように前記ディスクを回転させ」に相当する。
　また、刊行物の発明の「上記半導体メモリがデータでいっぱいになり、上記スィッチが開いて、モータ制御ループや変復調器、符号復号器の電源が切られ、データの読み込みが禁止された場合」は、本願発明の「前記ショックプルーフメモリがデータで満たされたことにより前記ピックアップによるデータの読み出しが休止される間は前記ディスクの回転を停止すべくなしてある」に相当し、刊行物の発明の「半導体メモリのデータ量が所定量以下に減少し、上記スィッチが閉じて、モータ制御ループや変復調器、符号復号器の電源が再起動され、データの読み込みが再開される場合」は、本願発明の「前記ショックプルーフメモリに蓄積されているデータのデータ量が所定量以下に減少したことにより前記ピックアップによる前記ディスクからのデータの読み出しが再開される場合」に相当する。
　両者は、ショックプルーフメモリに蓄積されているデータのデータ量が所定量以下に減少したことによりピックアップによるディスクからのデータの読み出しが再開される場合に、ショックプルーフメモリがデータで満たされたことによりピックアップによるディスクからのデータの読み出しが休止される場合のショックプルーフメモリがデータで満たされた時点におけるディスクの回転速度でディスクを回転させることにより、再開が短縮される点で共通する。
　
　そうすると、両者は、以下の点で一致する。
「デジタルデータが記録されたディスク上を径方向に移動しつつデータをショックプルーフメモリへ読み出すピックアップに対して線速度一定となるように前記ディスクを回転させ、前記ショックプルーフメモリがデータで満たされたことにより前記ピックアップによるデータの読み出しが休止される間は前記ディスクの回転を停止すべくなしてあるディスク再生装置において、
　前記ショックプルーフメモリに蓄積されているデータのデータ量が所定量以下に減少したことにより前記ピックアップによる前記ディスクからのデータの読み出しが再開される場合に、前記ショックプルーフメモリがデータで満たされたことにより前記ピックアップによる前記ディスクからのデータの読み出しが休止される場合のショックプルーフメモリがデータで満たされた時点における前記ディスクの回転速度により前記ディスクを回転させる回転制御手段とを備えたことを特徴とするディスク再生装置。」の発明で一致し、次の点で相違する。
　
　ショックプルーフメモリに蓄積されているデータのデータ量が所定量以下に減少したことにより前記ピックアップによる前記ディスクからのデータの読み出しが再開される場合に、ショックプルーフメモリがデータで満たされた時点におけるディスクの回転速度によりディスクを回転させるために、本願発明は回転速度を記憶する記憶手段を有し、記憶手段により回転速度を記憶し、記憶されている回転速度と同一の回転速度で予めディスクを回転させるのに対して、刊行物の発明は、番地記憶回路と番地速度基準変換ＲＯＭを有し、番地記憶回路に記憶された番地から上記番地速度基準変換ＲＯＭのＲＯＭテーブル上絶対番地から録再角周波数を検索してモータ制御ループの制御目標を出力し、周波数発電器を用いた速度制御を行い、予め起動速度の近傍でＭＤ（ディスク）を回転させ、予めモータ制御ループの電源切断時の速度でＭＤ（ディスク）を回転させる点。
　
４．上記相違点を検討すると、
　ディスク装置において、一度停止された回転速度と再開された回転速度を同一にする構成は周知（特開平９−４４９８８号公報：「【００１６】また、ＦＧ間隔学習回路16は、ＣＬＶサーボで動作中は、時々刻々のＦＧ信号(ｄ)の間隔を記憶し、その記憶したＦＧ信号の間隔になるようにＦＧサーボ回路14が出力する回転駆動指示信号の目標回転数を更新設定する。また、ウィンドウコンパレータ回路11の出力がＨになると、学習及び目標回転数の更新設定を中止する機能を有するため、ＣＬＶサーボ回路10から異常電圧が出力された直前のＣＬＶサーボの回転数でＦＧサーボを動作させることができ、対物レンズサーボを再起動した後のＣＬＶサーボの引き込み時間を短縮することができる。」、特開平９−２８２７９０号公報：「【００１５】つぎに、光ディスク１上の傷、汚れ、外部からの衝撃や振動等によってスピンドルモータ８を線速度一定に制御するためのクロック成分を含む再生データが得られなくなった場合には、まず、クロック周期監視回路９によって再生データのクロック成分が所定の範囲を超えていることを検出する。つぎに、記憶回路１１では平均値回路１０の出力の保持の更新を停止し、クロック成分の周期が所定の範囲を超える前に保持した値を出力する。つぎに、切り替えスイッチ７ではスピンドルモータ８への出力を線速度一定制御回路６の出力から記憶回路１１の出力に切り替える。このようにして、クロック抽出回路５で再生データのクロック成分が抽出できない場合でも、スピンドルモータ８を線速度一定制御時の出力の平均、またはその低周波数成分で駆動し、確実に安定に回転速度を維持することができる。」、特開平１０−３３４５８０号公報：「【００５１】スイッチ回路４が端子４Ａ側に設定されると、ＣＬＶで光ディスク１が回転される。光ディスク１がＣＬＶで制御される直前では、光ディスク１は、ＣＡＶで回転されている。ＣＡＶで制御していたときには、それまで光ディスク１がＣＬＶで制御されていたときのＦＧ信号の周期ＲＦＧと、スピンドルモータ２のＦＧ信号の周期とを比較して光ディスク１の回転速度を制御していたので、光ディスク１の回転速度は、その直前に、ＣＬＶで制御していたときの光ディスク１の回線速度となっている。したがって、スリープモードで光ディスク１をＣＡＶで制御していたときの光ディスク１の回転速度と、光ディスクの読み出しを再開させたときの回転速度との速度差は殆ど生じない。このため、スリープモードで光ディスク１をＣＡＶで制御している状態から、光ディスクをＣＬＶで制御して光ディスク１のデータの読み出しを再開させたときの状態に移る際に、多大な電力が消費されることが防止できる。」）であり、その場合、刊行物の発明において、回転速度を記憶する記憶手段により回転速度を記憶し、サーボオン時には、記憶された回転速度でＭＤ（ディスク）回転させるようにすることは当業者が容易に推考できたことと認められる。
　
５．むすび
　したがって、本願発明は、刊行物に記載された発明及び周知例から当業者が容易に発明することができたものであるから、特許法第２９条第２項の規定により特許を受けることができないものである。
　よって、結論のとおり審決する。